(57)【要約】【課題】  プレゼンスの更新に際して、ユーザの負担をできるだけ軽減して、プレゼンスの自動的更新をなす。【解決手段】  携帯電話機１０１の低出力送受信部１６により、各場所に設置されている非接触型通信装置と近接間通信を行い、非接触型通信装置からその設置場所情報を取得する。携帯電話機１０１は、プレゼンス管理テーブル１８に登録されているプレゼンス情報と受信した設置場所情報とを比較して、一致したプレゼンス情報に基づいてプレゼンス情報を生成して、送受信部２３を用いて送信する。【選択図】      図１
2006140544.tif 000002
【特許請求の範囲】
【請求項１】
移動通信端末のユーザの場所や状態を示す最新のプレゼンス情報をプレゼンス管理装置に送信するプレゼンス更新システムであって、
複数箇所に設置され少なくとも設置場所を示す情報を送信可能な非接触型通信装置を含み、
前記移動通信端末は、ユーザの場所やその場所におけるユーザの状態を示す情報を予め登録した登録手段と、前記非接触型通信装置からの情報を受信する受信手段と、この受信情報の設置場所に対応する前記登録手段内の情報に基づいて前記プレゼンス情報を生成して前記プレゼンス管理装置に送信する送信手段とを有することを特徴とするプレゼンス更新システム。
【請求項２】
前記登録手段には、前記設置場所における通信可否を示す情報をも登録されており、前記送信手段は、前記プレゼンス情報に前記通信可否を示す情報をも含ませて生成して送信するようにしたことを特徴とする請求項１記載のプレゼンス更新システム。
【請求項３】
前記非接触型通信装置はＲＦ−ＩＤタグであり、前記携帯通信端末の受信手段は前記ＲＦ−ＩＤタグの格納情報を読み出すリーダであることを特徴とする請求項１または２記載のプレゼンス更新システム。
【請求項４】
前記受信手段は、前記ユーザ操作に応答して前記非接触型通信装置からの情報を受信するようにしたことを特徴とする請求項１〜３いずれか記載のプレゼンス更新システム。
【請求項５】
前記受信手段は、予め定められたタイミングで前記非接触型通信装置からの情報を受信するようにしたことを特徴とする請求項１〜３いずれか記載のプレゼンス更新システム。
【請求項６】
前記ＲＦ−ＩＤタグの設置場所を示す電波を送信する装置を更に含み、前記携帯通信端末の受信手段は、前記電波の受信に応答して前記非接触型通信装置からの情報を受信するようにしたことを特徴とする請求項３記載のプレゼンス更新システム。
【請求項７】
前記非接触型通信装置の情報に有効期限に関する情報を付加し、前記携帯通信端末は前記有効期限情報を付加した情報を保持する手段を更に有し、前記非接触型通信装置からの情報が前記保持された情報と同一情報の場合に、前記有効期限を参照して前記同一情報の破棄制御をなすようにしたことを特徴とする請求項１〜６いずれか記載のプレゼンス更新システム。
【請求項８】
前記携帯通信端末の送信手段は、ユーザ操作に従って設定されたプライバシの程度を示す情報に応じて前記ユーザの場所や前記状態を示す情報の送信可否制御をなすようにしたことを特徴とする請求項１〜７いずれか記載のプレゼンス更新システム。
【請求項９】
移動通信端末のユーザの場所や状態を示す最新のプレゼンス情報をプレゼンス管理装置に送信するプレゼンス更新方法であって、
複数箇所に設置され少なくとも設置場所を示す情報を送信可能な非接触型通信装置を設け、
前記移動通信端末において、前記非接触型通信装置からの情報を受信する受信ステップと、ユーザの場所やその場所におけるユーザの状態を示す情報を予め登録した登録手段内の登録情報のうち、前記受信ステップによる受信情報の設置場所に対応する登録情報に基づいて前記プレゼンス情報を生成する生成ステップと、この生成された情報を前記プレゼンス管理装置に送信する送信ステップとを有することを特徴とするプレゼンス更新方法。
【請求項１０】
前記登録手段には、前記設置場所における通信可否を示す情報をも登録されており、前記生成ステップは、前記プレゼンス情報に前記通信可否を示す情報をも含ませて生成するようにしたことを特徴とする請求項９記載のプレゼンス更新方法。
【請求項１１】
前記受信ステップは、前記ユーザ操作に応答して前記非接触型通信装置からの情報を受信するようにしたことを特徴とする請求項９または１０記載のプレゼンス更新方法。
【請求項１２】
前記受信ステップは、予め定められたタイミングで前記非接触型通信装置からの情報を受信するようにしたことを特徴とする請求項９または１０記載のプレゼンス更新方法。
【請求項１３】
前記ＲＦ−ＩＤタグの設置場所を示す電波を送信する装置を設け、前記受信ステップは、前記電波の受信に応答して前記非接触型通信装置からの情報を受信するようにしたことを特徴とする請求項１２記載のプレゼンス更新方法。
【請求項１４】
前記非接触型通信装置の情報に有効期限に関する情報を付加し、前記携帯通信端末において、前記有効期限情報を付加した情報を保持するステップと、前記非接触型通信装置からの情報が前記保持された情報と同一情報の場合に、前記有効期限を参照して前記同一情報の破棄制御をなすステップとを、更に有することを特徴とする請求項９〜１３いずれか記載のプレゼンス更新方法。
【請求項１５】
前記送信ステップは、ユーザ操作に従って設定されたプライバシの程度を示す情報に応じて前記ユーザの場所や前記状態を示す情報の送信可否制御をなすようにしたことを特徴とする請求項９〜１４いずれか記載のプレゼンス更新方法。
【請求項１６】
ユーザの場所や状態を示す最新のプレゼンス情報をプレゼンス管理装置に送信するようにした移動通信端末であって、
ユーザの場所やその場所におけるユーザの状態を示す情報を予め登録した登録手段と、
複数箇所に設置された非接触型通信装置から送信される少なくとも設置場所を示す情報を受信する受信手段と、
この受信情報の設置場所に対応する前記登録手段内の情報に基づいて前記プレゼンス情報を生成して前記プレゼンス管理装置に送信する送信手段と、
を含むことを特徴とする移動通信端末。
【請求項１７】
前記登録手段には、前記設置場所における通信可否を示す情報をも登録されており、前記送信手段は、前記プレゼンス情報に前記通信可否を示す情報をも含ませて生成して送信するようにしたことを特徴とする請求項１６記載の移動通信端末。
【請求項１８】
前記非接触型通信装置はＲＦ−ＩＤタグであり、前記受信手段は前記ＲＦ−ＩＤタグの格納情報を読み出すリーダであることを特徴とする請求項１６または１７記載の移動通信端末。
【請求項１９】
前記受信手段は、前記ユーザ操作に応答して前記非接触型通信装置からの情報を受信するようにしたことを特徴とする請求項１６〜１８いずれか記載の移動通信端末。
【請求項２０】
前記受信手段は、予め定められたタイミングで前記非接触型通信装置からの情報を受信するようにしたことを特徴とする請求項１６〜１８いずれか記載の移動通信端末。
【請求項２１】
前記受信手段は、前記ＲＦ−ＩＤタグの設置場所を示す電波を送信する装置からの当該電波の受信に応答して前記非接触型通信装置からの情報を受信するようにしたことを特徴とする請求項２０記載の移動通信端末。
【請求項２２】
前記非接触型通信装置の情報に有効期限に関する情報を付加し、前記有効期限情報を付加した情報を保持する手段を更に含み、前記非接触型通信装置からの情報が前記保持された情報と同一情報の場合に、前記有効期限を参照して前記同一情報の破棄制御をなすようにしたことを特徴とする請求項１６〜２１いずれか記載の移動通信端末。
【請求項２３】
前記送信手段は、ユーザ操作に従って設定されたプライバシの程度を示す情報に応じて前記ユーザの場所や前記状態を示す情報の送信可否制御をなすようにしたことを特徴とする請求項１６〜２２いずれか記載の移動通信端末。
【請求項２４】
移動通信端末のユーザの場所や状態を示す最新のプレゼンス情報をプレゼンス管理装置に送信するプレゼンス更新システムにおける通信装置であって、
所定箇所に設置され少なくとも設置場所を示す情報を前記移動通信端末に送信する手段を含むことを特徴とする非接触型通信装置。
【請求項２５】
ＲＦ−ＩＤタグをからなることを特徴とする請求項２４記載の非接触型通信装置。
【請求項２６】
ユーザの場所や状態を示す最新のプレゼンス情報をプレゼンス管理装置に送信するようにした移動通信端末の動作をコンピュータにより実行させるためのプログラムであって、
複数箇所に設置された非接触型通信装置から送信される少なくとも設置場所を示す情報を受信する処理と、
ユーザの場所やその場所におけるユーザの状態を示す情報を予め登録した登録手段の登録情報のうち、当該受信情報の設置場所に対応する情報に基づいて前記プレゼンス情報を生成して前記プレゼンス管理装置に送信する処理と、
を含むことを特徴とするプログラム。
【発明の詳細な説明】
【技術分野】
【０００１】
本発明はプレゼンス更新システム及びその方法並びにそれに用いる移動通信端末及び非接触型通信装置に関し、特に移動通信端末のユーザの場所や状態を示す最新のプレゼンス情報を生成して更新するプレゼンス更新方式に関するものである。
【背景技術】
【０００２】
近年、携帯電話機を用いたサービスとして、ＩＭ（Instant Message ）サービスやＰｏＣ（Push to talk over Cellular）などのサービスが普及しつつある。ＩＭサービスは電子メールに似たサービスであるが、リアルタイムでデータの送受信を行う点で電子メールとは異なるものである。ＰｏＣサービスは、携帯電話のネットワークを利用して１対１または１対多の通信を行うことが可能な、トランシーバに似た機能を有するサービスである。
【０００３】
この様なサービスにおいては、通信相手の状態確認が必要である。ＰｏＣのような通信手段においては、電話と異なり通信開始前に相手の状態（プレゼンスと称される）を確認する必要がある。相手が通信可能な状態でなければ、ＰｏＣを利用して呼び出しても返答がなく通信が成立しないからである。また、プレゼンスは常に最新の状態を表わすものである必要がある。このプレゼンスを確認して通信要求を行っても、通信相手がプレゼンスの更新を行っていなければ、通信ができないことになる。
【０００４】
これを解消するには、常にプレゼンスを更新すれば良いが、プレゼンスを更新するには、ユーザにとっては、多少の操作が要求されるので、常に持ち歩く携帯電話機の場合には、プレゼンスは更新されないままの状態にあることが多くなる。このように、プレゼンスは携帯電話機間の通信では、大変重要でかつ便利なものであるが、有効に利用されないのが現実である。
【０００５】
ここで、特許文献１を参照すると、移動通信網における基地局が有する位置情報サービスを利用して、携帯電話機のプレゼンスを更新してサーバへ送信し、登録する技術が開示されている。
【特許文献１】特開２００３−２７４４４０号公報
【発明の開示】
【発明が解決しようとする課題】
【０００６】
上述したＰｏＣサービスによる通信を利用する場合、通信相手の状態であるプレゼンスを確認して通信相手を選択することがある。このプレゼンスは、相手の場所や状態、通話可能かどうかなどの情報を知らせるものであり、ユーザと共に移動する携帯電話機においては、重要な情報であることは前述したとおりである。
【０００７】
しかしながら、携帯電話機のユーザは、自分の状態や場所に応じて手動操作によりプレゼンスを変更する必要があり、携帯電話機による入力は手数がかかり面倒である。また、携帯電話機は常に持ち歩いて使用されるものであるから、ユーザの状態や場所が頻繁に変化し、変わる度に、プレゼンスを変更することはユーザにとって大きな負担となり、結果的に、プレゼンスを入力することが面倒となってプレゼンスの更新がなされないままとなる。
【０００８】
特許文献１の技術では、基地局が有する位置情報サービスを用いてプレゼンスを自動更新するものであるが、位置情報の更新は自動で行われるものの、ユーザの状態などに関する情報については、ユーザの操作による更新となっており、やはりユーザにとっては負担となる。
【０００９】
本発明の目的は、ユーザによる手動操作をなくして、ユーザ負担を軽減することが可能なプレゼンス更新システムを提供することである。
【課題を解決するための手段】
【００１０】
本発明によるプレゼンス更新システムは、移動通信端末のユーザの場所や状態を示す最新のプレゼンス情報をプレゼンス管理装置に送信するプレゼンス更新システムであって、複数箇所に設置され少なくとも設置場所を示す情報を送信可能な非接触型通信装置を含み、前記移動通信端末は、ユーザの場所やその場所におけるユーザの状態を示す情報を予め登録した登録手段と、前記非接触型通信装置からの情報を受信する受信手段と、この受信情報の設置場所に対応する前記登録手段内の情報に基づいて前記プレゼンス情報を生成して前記プレゼンス管理装置に送信する送信手段とを有することを特徴とする。
【００１１】
本発明によるプレゼンス更新方法は、移動通信端末のユーザの場所や状態を示す最新のプレゼンス情報をプレゼンス管理装置に送信するプレゼンス更新方法であって、複数箇所に設置され少なくとも設置場所を示す情報を送信可能な非接触型通信装置を設け、前記移動通信端末において、前記非接触型通信装置からの情報を受信する受信ステップと、ユーザの場所やその場所におけるユーザの状態を示す情報を予め登録した登録手段内の登録情報のうち、前記受信ステップによる受信情報の設置場所に対応する登録情報に基づいて前記プレゼンス情報を生成する生成ステップと、この生成された情報を前記プレゼンス管理装置に送信する送信ステップとを有することを特徴とする。
【００１２】
本発明による移動通信端末は、ユーザの場所や状態を示す最新のプレゼンス情報をプレゼンス管理装置に送信するようにした移動通信端末であって、ユーザの場所やその場所におけるユーザの状態を示す情報を予め登録した登録手段と、複数箇所に設置された非接触型通信装置から送信される少なくとも設置場所を示す情報を受信する受信手段と、この受信情報の設置場所に対応する前記登録手段内の情報に基づいて前記プレゼンス情報を生成して前記プレゼンス管理装置に送信する送信手段とを含むことを特徴とする。
【００１３】
本発明による非接触型通信装置は、移動通信端末のユーザの場所や状態を示す最新のプレゼンス情報をプレゼンス管理装置に送信するプレゼンス更新システムにおける通信装置であって、所定箇所に設置され少なくとも設置場所を示す情報を前記移動通信端末に送信する手段を含むことを特徴とする。
【００１４】
本発明によるプログラムは、ユーザの場所や状態を示す最新のプレゼンス情報をプレゼンス管理装置に送信するようにした移動通信端末の動作をコンピュータにより実行させるためのプログラムであって、複数箇所に設置された非接触型通信装置から送信される少なくとも設置場所を示す情報を受信する処理と、ユーザの場所やその場所におけるユーザの状態を示す情報を予め登録した登録手段の登録情報のうち、当該受信情報の設置場所に対応する情報に基づいて前記プレゼンス情報を生成して前記プレゼンス管理装置に送信する処理とを含むことを特徴とする。
【発明の効果】
【００１５】
本発明によれば、ユーザが携帯電話機などの携帯通信端末を持ち歩いている間に、自動的にプレゼンスの更新ができるので、ユーザに対して面倒な操作を強いることがなくなり、かつ最新のプレゼンスが設定できるという効果がある。また、ユーザの各場所における状態と通信可否とを示すテーブルを予め登録しておき、現在の場所に対する状態と通信可否とを、当該テーブルから索引して、プレゼンスを更新することにより、不用意な着信を防ぐことができるという効果もある。
【発明を実施するための最良の形態】
【００１６】
以下に、図面を用いて本発明の実施の形態について詳細に説明する。図１は本発明の一実施の形態を示すシステム構成図である。図１を参照すると、携帯電話機１０１−１，１０１−２は移動体通信網１００を介してプレゼンスサーバ１０２，ＰｏＣサーバ１０３，グループ管理サーバ１０４に接続可能である。
【００１７】
プレゼンスサーバ１０２は携帯電話機１０１の現在の状態を管理するサーバであり、携帯電話機１０１はプレゼンスサーバ１０２に対して自機の状態であるプレゼンスを通知し更新することができるようになっている。ＰｏＣサーバ１０３は携帯電話機１０１同士の通信を制御するサーバであり、具体的には、発言権の制御などの通信制御をなすものである。グループ管理サーバ１０４は通信相手を登録するサーバであり、登録されている通信相手のプレゼンスをプレゼンスサーバ１０２から参照することができるようになっている。
【００１８】
また、携帯電話機１０１はグループ管理サーバ１０４に対して問合わせを行ってグループに登録されている他の携帯電話機のプレゼンスを確認することができる。
【００１９】
低出力送受信装置１０５−１，１０５−２は携帯電話機１０１と無線による近接間通信を行うことができる装置であり、赤外線通信、ブルートゥース（登録商標）、無線ＬＡＮ、非接触型ＩＤタグ（ＲＦ−ＩＤタグ）などが用いられるが、本例においては、非接触型ＩＤタグとして説明する。非接触型ＩＤタグ１０５は種々の場所に設置されており、例えば、自宅、会社、車やバス、鉄道などの交通機関、駅、劇場や映画館などのアミューズメント施設などであり、更に、自宅であれば、寝室やリビング、会社であれば、自席や会議室などである。非接触型ＩＤタグ１０５はその設置場所情報、設置目的などを含む無線タグ情報を予め保持しており、ＲＦ−ＩＤリーダによりこの無線タグ情報が読み取り可能であり、携帯電話機１０１には、このＲＦ−ＩＤリーダ機能が付加されている。
【００２０】
図２はこの携帯電話機１０１の機能ブロック図を示している。図２を参照すると、ＣＰＵ（制御部であって中央処理装置）１２はバス１３を介して装置内の各部１４〜２３に接続されており、ＲＯＭ１４に格納されている各種の制御プログラムに従って各部１５〜２３を制御するものである。ＲＯＭ１４は、上述した如く、ＣＰＵ１２の動作のための制御プログラムの他に、仮名文字変換などに使用される辞書などの固定的なデータを格納したリードオンリメモリである。
【００２１】
作業用メモリ１５はＲＡＭ（ランダムアクセスメモリ）であり、ＣＰＵ１２がプログラムを実行するうえで、一時的に必要となるデータを格納するためのメモリである。電子メールを送信する際の編集用の画像データも、この作業用メモリ１５の所定領域に格納されるものである。
【００２２】
低出力送受信部１６は、１００ｃｍ程度の近接した装置間において、非接触でデータの送受信を行う回路であり、前述した如く、赤外線通信、ブルートゥース（登録商標）、無線ＬＡＮ、ＲＦ−ＩＤリーダなどが用いられるが、図１にて説明した例においては、ＲＦ−ＩＤリーダであるものとする。本回路では、携帯電話機が有する固有のＩＤ情報を送信し、また通信相手である低出力送受信装置１０５の非接触型ＩＤタグに格納されている固有の無線タグ情報を受信するよう構成されている。
【００２３】
プレゼンス管理テーブル１８は携帯電話機１０１のプレゼンスを設定するための管理テーブルであり、不揮発性メモリで構成されており、ユーザの操作により、プレゼンス管理テーブル１８の内容の変更が可能であり、またその内容は、送受信部２３から通信網１００へ向けて外部へ送信することができる。
【００２４】
キー入力部１９は特定キーを含む操作キー１７からのキー入力を受け付ける入力回路である。タイマ部２０は設定された時間毎にイベントを通知するためのものである。表示制御部２１は表示部２２の表示制御をなす制御回路であり、表示部２２は、白黒またはカラーの液晶パネルや有機ＥＬ（電子蛍光）などの表示装置である。
【００２５】
送受信部２３は無線によりデータの送受信を行う回路であって、通信距離が低出力送受信部１６に比較してより大なる場合に使用されるものであり、主に携帯電話機と図示せぬ基地局との間の通信に用いられる。
【００２６】
図３は図２のプレゼンス管理テーブル１８の各エントリの項目の内容を示す図であり、プレゼンス管理テーブル１８は、各エントリ毎に設置場所（ＩＤ種別）、場所／状態、通信可否の各項目の情報を有している。場所／状態及び通信可否の情報はプレゼンスであって、ユーザによりその内容の設定変更が可能であるものとする。図４のＴ１００は非接触型ＩＤタグ１０５−１，１０５−２が発信する固有の無線タグ情報の例を示しており、ＩＤ種別、設置位置情報及び通信拒否許可情報を含んでいる。
【００２７】
ＩＤ種別は、非接触型ＩＤタグが設置されている場所の種別を示しており、例えば、Ｔ１０１〜Ｔ１０４に示す如く、会社、駅、劇場、自転車などの設置場所の種別（環境種別）情報である。設置位置情報は、設置場所の位置を示す情報であり、ＩＤ種別（設置場所種別）が会社であればその所在位置である新宿を、駅であればその所在位置（駅名）である渋谷を、それぞれ示す情報である。また、通信拒否許可情報は、その場所で通信が許容されているか、禁止されているかを示す情報である。
【００２８】
以下に、本発明の一実施の形態の動作について説明する。図５はユーザが操作キー１７の特定キーを押下することにより動作が開始される場合のフローチャートである。ユーザによるキー押下に応答して（ステップＳ１）、非接触型ＩＤタグ１０５の無線タグ情報を受信すべく、低出力送受信部１６から電波が発信される（ステップＳ２）。非接触型ＩＤタグ１０５はこの電波を受信し、この受信電波を利用して内部に記録されている固有の無線タグ（ＩＤタグ）情報を送信する。
【００２９】
携帯電話機１０１の低出力送受信部１６はこのＩＤタグ情報を受信する（ステップＳ３）。このＩＤタグ情報は図４に示すような情報である。このＩＤタグ情報はユーザＩＤを付してそのままプレゼンスサーバ１０２へ送信しても良いが、ユーザが現在の場所など具体的な情報を伏せておきたい場合や、通信可否を示す情報を付加したい場合も考えられる。このような場合を考慮して、携帯電話機１０１内にプレゼンス管理テーブル１８を設けているのである。
【００３０】
受信したＩＤタグ情報とプレゼンス管理テーブル１８との比較を行い（ステップＳ４）、ＩＤ種別が一致するかどうか判定する。一致する場合には、プレゼンス管理テーブル１８内のＩＤ種別が一致したエントリの各項目に未設定の項目があるかどうかを調べ（ステップＳ５）、未設定の項目がなければ、プレゼンス管理テーブル１８に設定してある場所／状態及び通信可否の状態を、図６に示す如く、ユーザＩＤ情報と共にプレゼンスとしてプレゼンスサーバ１０２へ送信する（ステップＳ７）。
【００３１】
例えば、非接触型ＩＤタグ１０５から受信したＩＤタグ情報のＩＤ種別が、図４のＴ１０１の「会社」であると、図３のプレゼンス管理テーブル内のＩＤ種別が「会社」のエントリにおける「場所／状態」及び「通信可否」の各項目を読出し、プレゼンスを「会社」及び「可」としてプレゼンスサーバ１０２へ送信するのである。
【００３２】
また、非接触型ＩＤタグ１０５から受信したＩＤタグ情報のＩＤ種別が、図４のＴ１０２の「駅」であるとすると、図３のプレゼンス管理テーブル１８内のＩＤ種別が「駅」のエントリにおける「場所／状態」及び「通信可否」の各項目を読み出す。このとき、「場所／状態」の項目は未設定であるから、図５のステップＳ５の「Ｙｅｓ」となり、次のステップＳ６において、受信したＩＤタグ情報Ｔ１０２内の「場所／状態」の項目の「渋谷」を、図６のプレゼンスの「場所／状態」の項目に「渋谷」を設定してプレゼンスサーバ１０２へ送信する（ステップＳ７）。
【００３３】
プレゼンスサーバ１０２はこの通知されたプレゼンス情報により最新のプレゼンスに更新を行う。特に、プレゼンス管理テーブル１８に、「場所／状態」、「通信可否」を登録しなければ、受信したＩＤタグ情報をプレゼンスサーバへ送信することになる。
【００３４】
以上の動作により、ユーザは単にキーを押下するだけの極めて簡単な操作でユーザのプレゼンスの更新が可能となる。ＰｏＣサーバ１０３はプレゼンスサーバ１０２に通知されたプレゼンスの通信可否を判断して、通信不可の相手の送信制御をなすことができる。
【００３５】
図７は本発明の他の実施例の動作を示すフローチャートであり、システム構成及び携帯電話機の構成は図１及び図２と同じである。なお、図７において、図５と同等部分は同一符号により示している。図５の例では、プレゼンスの更新をユーザのキー押下をトリガとして行うようになっていたが、本例では、プレゼンスの更新をタイマを利用して自動的に行うようにしたものである。そのために、タイマ部２０にてタイマ監視を行い（ステップＳ１１）、予め設定した時刻になると（ステップＳ１２）、タイマ部２０からイベントが発生されて、これがトリガとなり、ＩＤタグ情報の読み取りのために、低出力送受信部１６から発信される（ステップＳ２）。それ以降は図５のステップＳ３〜Ｓ７が実行される。本例では、ユーザ操作が全く不要であるという利点がある。
【００３６】
図８は本発明の更に他の実施の形態のシステム構成図であり、図１と同等部分は同一符号にて示し、その説明を省略する。本例では、図１の低出力送受信装置１０５−１や１０５−２の代りに、ビーコン１０６−１，１０６−２を設けたものである。ビーコンは同一の情報を繰り返し送信する機能を有するものであって、主に航空管制や船舶管制に用いられるシステムであるが、本例では、送信出力を小として送信範囲を数メートルとしたものを用いる。
【００３７】
図９は本実施の形態の動作を示すフローチャートであり、図５と同等ステップは同一符号にて示している。本例では、携帯電話機１０１のユーザがビーコン１０６の周辺に近づくと、低出力送受信部１６はビーコン１０６の電波を受信する（ステップＳ２１）。このビーコン電波には図４に示したＩＤタグ情報と同じ情報が含まれている。従って、ビーコン電波のＩＤ種別を抽出し（ステップＳ２２）、プレゼンス管理テーブル１８の検索を行って、ステップＳ４〜Ｓ７の処理を行うのである。
【００３８】
図１０は本発明の別の実施の形態のシステム構成図であり、図１及び図８と同等部分は同一符号にて示している。本例では、ビーコン１０６と低出力送受信装置１０５とを組み合わせて使用する例である。ここで使用するビーコン１０６は低出力送受信装置１０５の存在を通知する目的で使用されるものである。従って、ビーコンが発信する電波には情報は付加されていない。
【００３９】
図１１は本実施の形態の動作を示すフローチャートであり、図５及び図９と同等部分は同一符号により示している。携帯電話機１０１のユーザがビーコン１０６の周辺に近づくと、低出力送受信部１６はビーコンの電波を受信する（ステップＳ２１）。このビーコン電波の受信をトリガとして、以降ステップＳ２〜Ｓ７の動作が実行されることになる。
【００４０】
上述の各実施の形態において、ＩＤタグ情報に有効期限を設定することができる。例えば、劇場のような場所において、入口と出口とが同一であって、この出入口に一つの低出力送受信装置１０５が設置されている場合、入場時には正しいプレゼンスを設定することができるが、退場時にも「劇場」のプレゼンスを設定してしまうことになる。そこで、これを解決するために、ＩＤタグ情報に有効期限を設定して最新のプレゼンスと比較するようにする。
【００４１】
このとき、プレゼンスが「劇場」であれば、ＩＤタグ情報に有効期限情報を含ませておき、この有効期限を、例えば３時間に設定しておく。携帯電話機は、この「劇場」を含むＩＤタグ情報を受信してプレゼンスサーバ１０２へ送信すると共に、この最新のＩＤタグ情報を履歴情報として保持するようにする。そして、再度、「劇場」を示すＩＤタグ情報を受信すると、この保持しているプレゼンスの有効期限をみて、この有効期限内に同種のプレゼンスを受信した場合には、プレゼンスの更新を行わず、受信したＩＤタグ情報を破棄する。
【００４２】
有効期限がきれていた場合には、携帯電話機に保持している履歴情報を破棄する。このとき、受信したＩＤタグ情報をプレゼンスとして更新する。これにより、非接触型ＩＤタグが携帯電話機の付近に存在するとき、プレゼンス更新のための通信を制限することになって、消費電力の削減にもなる。
【００４３】
上述した如く、受信したＩＤタグ情報をそのままプレゼンス情報としてプレゼンスサーバへ設定すると、ユーザのプライバシ情報もそのまま設定されることになる。従って、図３に示した「場所／状態」はユーザの設定によりプレゼンスサーバ１０２に通知しないようにすることが考えられる。例えば、「自宅」や「自宅／寝室」を非通知設定として、「通信可否」のみをプレゼンス情報として、プレゼンスサーバへ通知するようにすることができる。
【００４４】
また、他の例としては、ＩＤタグ情報にプライバシレベルを設定できる項目を追加し、このプライバシレベルを、例えばレベル１からレベル５の５段階としておき、プライベートなもの程レベルが低く、逆にパブリックなもの程レベルが高くなるようにしておく。ユーザはプレゼンスの更新時に、このプライバシレベルを設定することができる。例えば、「自宅」であればレベル１、「会社」であればレベル３、「駅」であればレベル５とする。ユーザがレベル１と設定すれば、自宅関連の「場所／状態」をプレゼンスサーバへ通知しないようにすることが可能である。
【００４５】
上記の実施の形態においては、携帯電話機を用いているが、通信機能を有する移動通信端末を用いることができる。また、上記の各実施の形態の動作フローは、予めプログラムとしてＲＯＭ１４に手順を記録しておき、ＣＰＵ１２によりこれを読み取って実行するようになっていることは明らかである。また、低出力送受信装置やビーコンを用いた本発明のシステムは、非接触型の定期券を用いた駅の改札システム、自動車の電子キー認証システム、会社の入退場システムにおいて、広適用可能であることは勿論である。
【図面の簡単な説明】
【００４６】
【図１】本発明の一実施の形態のシステム構成図である。
【図２】本発明における携帯電話機の機能ブロック図である。
【図３】プレゼンス管理テーブル１８の一例を示す図である。
【図４】ＩＤタグ情報の内容及びその例を示す図である。
【図５】本発明の一実施の形態の動作を示すフローチャートである。
【図６】プレゼンス情報の内容を示す図である。
【図７】本発明の他の実施の形態の動作を示すフローチャートである。
【図８】本発明の更に他の実施の形態のシステム構成図である。
【図９】図８の実施の形態の動作を示すフローチャートである。
【図１０】本発明の別の実施の形態のシステム構成図である。
【図１１】図１０の実施の形態の動作を示すフローチャートである。
【符号の説明】
【００４７】
１２  ＣＰＵ
１３  バス
１４  ＲＯＭ
１５  作業用メモリ
１６  低出力送受信部
１７  操作キー
１８  プレゼンス管理テーブル
１９  キー入力部
２０  タイマ部
２１  表示制御部
２２  表示部
１００  通信網
１０１−１，１０１−２  携帯電話機
１０２  プレゼンスサーバ
１０３  ＰｏＣサーバ
１０４  グループ管理サーバ
１０５−１，１０５−２  低出力送受信装置（非接触型ＩＤタグ）
１０６−１，１０６−２  ビーコン
【図１】
2006140544.tif 000003
【図２】
2006140544.tif 000004
【図３】
2006140544.tif 000005
【図４】
2006140544.tif 000006
【図５】
2006140544.tif 000007
【図６】
2006140544.tif 000008
【図７】
2006140544.tif 000009
【図８】
2006140544.tif 000010
【図９】
2006140544.tif 000011
【図１０】
2006140544.tif 000012
【図１１】
2006140544.tif 000013